(57)【要約】　　　（修正有）【課題】屋内の営業種目にあわせて内装工事を簡単に行う内装工事方法及びそれに伴うサービスを提供する。【解決手段】予め規格部品を用いて作られた天井、床２、柱３、壁４、窓５、扉を組み立て、さらにガス、電気の接続機器を組み込んだキューブ型ユニットを設計しておき、屋内の営業職種、面積、容積にあわせて、組み上げたキューブ型ユニットを直接屋内に持ち込むことを特徴とする屋内の内装工事方法及び、屋内の内装工事に関わる業務において、予め規格部品を用いて作られた天井、床２、柱３、壁４、窓５、扉を組み立て、さらにガス、電気の接続機器を組み込んだキューブ型ユニットを設計し、屋内の営業職種、面積、容積にあわせて、組み上げたキューブ型ユニット若しくはキューブ型ユニットの規格部品を提供するサービスを行う。【選択図】　図１
2004068501.tif 000002
【特許請求の範囲】
【請求項１】
屋内の内装工事に関わる業務において、予め規格部品を用いて作られた天井、床、柱、壁、窓、扉を組み立て、さらにガス、電気の接続機器を組み込んだキューブ型ユニットを設計しておき、屋内の営業職種、面積、容積にあわせて、組み上げたキューブ型ユニットを直接屋内に持ち込むことを特徴とする屋内の内装工事方法。
【請求項２】
屋内の営業職種により、キューブ型ユニットのデザインを変える請求項１に記載した屋内の内装工事方法。
【請求項３】
キューブ型ユニットが一人用、二人用、三人用、四人用、それ以上である請求項１又は請求項２に記載した屋内の内装工事方法。
【請求項４】
キューブ型ユニットを複数個組み合わせる請求項１ないし請求項３のいずれかひとつに記載した屋内の内装工事方法。
【請求項５】
キューブ型ユニットが、２階建である請求項１ないし請求項４のいずれかひとつに記載した屋内の内装工事方法。
【請求項６】
屋内の内装工事に関わる業務において、予め規格部品を用いて作られた天井、床、柱、壁、窓、扉を組み立て、さらにガス、電気の接続機器を組み込んだキューブ型ユニットを設計し、屋内の営業職種、面積、容積にあわせて、規格部品を用いて作られた天井、床、柱、壁、窓、扉を屋内に持ち込んだ後、キューブ型ユニットを組み上げることを特徴とする屋内の内装工事方法。
【請求項７】
屋内の内装工事に関わる業務において、予め規格部品を用いて作られた天井、床、柱、壁、窓、扉を組み立て、さらにガス、電気の接続機器を組み込んだキューブ型ユニットを設計し、屋内の営業職種、面積、容積にあわせて、組み上げたキューブ型ユニット若しくはキューブ型ユニットの規格部品を提供するサービス。
【請求項８】
キューブ型ユニットに使われているすべての規格部品について、サイズと採用規格についてコード化し、改造や修理の際コンピュータから当該キューブ型ユニット中の必要規格部品を選択し、使用中の規格部品の一部を新しい規格部品に置換える内容である請求項５に記載したサービス。
【請求項９】
改修・改造に際して、規格部品が解体・改修により発生した余剰部品である請求項５に記載したサービス。
【請求項１０】
キューブ型ユニット若しくは規格部品の提供が貸与期間を定めて貸与する内容である請求項５に記載したサービス。
【発明の詳細な説明】
【０００１】
【発明の属する技術分野】
本発明は、事前に部品を一定の規格を定めておき、その規格部品を用いて、ユニットを作成し、営業種目に応じた内装工事を迅速に行い、サービス提供者管理空間に要求されるキューブ型ユニットの設置をいちはやく行い、業者によるサービスの提供を速やかに開始させるとともに、利用者の要求によるサービス環境の変更要求にも迅速に対応し、サービス環境が不必要になったときには迅速に解体と原状回復を行い、サービス提供者管理空間を迅速に作り出す手段を提供するものであり、また、これに起因する新たなサービスを提供するものである。
【０００２】
【従来の技術と発明が解決しようとする課題】
業者であるサービス提供者が営業種目に応じた店舗空間を確保して利用者サービスの提供を開始する場合、既存の環境においては、サービス提供者の店舗空間に合わせてサービス提供者の意図に従う大規模な専用の内装工事を行い、独自の店舗空間を作成してから利用者サービスを行なっていたため、その都度、再利用性のない部品・材料の消費を行い、内装設計・部材購入、施工々事等に、経費が発生していた。
内装変更を行う場合は、同様の経費の発生ばかりか、施工々事に対応する期間は利用者サービスができないため減収となり、大きな経費負担が発生するため、内装変更を容易に実施することができなかった。
変更部分に利用されていた部材の殆どは産業廃棄物になってしまい、自然資源の無駄使い・地球環境の破壊を行っていた。
また、サービス提供者が営業上利用していた店舗空間の利用を止める場合には、利用していた空間を原状復旧するための大規模な工事が必要になり、既存の内装工事に投資した全ての経費は無駄になり、原状復旧に関わる高額な経費負担をせざるを得なかったばかりではなく、既存環境に利用されていた部材の全ては産業廃棄物になってしまい、自然資源の無駄使い・地球環境の破壊をより大きく行なっていた。
本発明は、新たな手段に基づき、その手段を応用して得られる様々な効果から、内装工事部材調達経費の削減・内装工事内容の規格化・内装工事経費の削減・内装工事の短期化・要求への適応・部品の再利用・廃材発生の防止・投資経費の削減・復旧経費の抑制等を行う手段を提供して、新たな付加価値および産業効果を得るものである。
【０００３】
【課題を解決するための手段】
本発明は、規格された部品を用いることにより、従来は利用者サービスの提供を行う際に発生していた大規模な内装工事を止め、利用者キューブ型ユニットを確保するとともに、内装工事・撤去工事等に発生していた経費を削減し、部材の廃材化による自然資源の無駄使い・地球環境の破壊等を防止するものである。
すなわち、屋内の内装工事に関わる業務において、予め規格部品を用いて作られた天井、床、柱、壁、窓、扉を組み立て、さらにガス、電気の接続機器を組み込んだキューブ型ユニットを設計しておき、屋内の営業職種、面積、容積にあわせて、組み上げたキューブ型ユニットを直接屋内に持ち込むことを特徴とする屋内の内装工事方法及び、屋内の内装工事に関わる業務において、予め規格部品を用いて作られた天井、床、柱、壁、窓、扉を組み立て、さらにガス、電気の接続機器を組み込んだキューブ型ユニットを設計し、屋内の営業職種、面積、容積にあわせて、組み上げたキューブ型ユニット若しくはキューブ型ユニットの規格部品を提供するサービスを行うものである。
【０００４】
【発明の実施の形態】
本発明の基礎となるキューブ型ユニットは、予め規格部品を作成しておき、図１〜図２に示すようなキューブ型に作成し、図３〜図４に示すのように組み合わせて、図５のように屋内に配置する。
図１は、本発明のキューブ型ユニットの一例の外観の見取り図であり、１　天井（図示せず）２　床、３　柱、４　壁、５　窓、６　扉（図示せず）、７　脚、８　電気接続機器、９　ガス接続機器などから構成されている。
窓、扉、壁などの一部乃至全部を網状にしておくと、通風か良く、室内に熱や臭いがこもらない。
図２は、内部の見取り図であり、営業種目により適宜な調度品例えば和風の机等が置かれる。
脚７を適宜な高さに設定して、人が座るところを堀床構造とすることも出来る。床下材は、基本的に強度が高いのもが良く、例えば波板状の金属部品を組み合わせて強度を確保し、その上に床材を置くことも出来る。
本発明において、規格とは人間の行動に関わる違和感のない寸法・距離に基づき設定されるものであり、サービス提供者がサービスを提供するときに必要とする床面積・床高さ・天井高さが基準になるものであり、利用者サービスを行う環境の格式・形態・利用可能な床面積の広さ・天井高さ等に対応して、シリーズ化を図るものであって、従来のＪＩＳ規格や建築材の規格を含む広い概念のものであり、正確で快適なキューブ型ユニットをつくるものならどのようなものでも良いが、採用した規格とその規格部品はすべてコンピュータ等により、管理することが望ましい。
このようにすることにより、特定のキューブ型ユニット、例えば二人用のキューブ型ユニットに用いられているすべての規格部品について、コンピュータ上で管理することができ、補修や改造の際に、規格部品の交換や取替えが容易に行われるばかりか、解体や修理の際に出てくる余剰の規格部品の管理や再利用についても容易に行える。
個々の部品は、２人の人手で移動・設置ができる大きさと重量（例えば、３０ｋｇ以下の値）で構成することが望ましい。基本寸法は洋間・日本間・中華間等を含めて提案するものであり、例えば、飲食業者向けの洋間・日本間では、人がテーブルを挟んで向かい合って料理を食べるときに必要となる部屋の壁間隔（例えば、１．８ｍから３．６ｍの範囲のいずれかの値）と、料理を食べるのに必要となる肩方向幅（例えば、７５ｃｍから１．５ｍの範囲のいずれかの値）を床面積として定め、中華間では、円卓の周辺に人が座るときに必要な寸法（例えば、２．４ｍ×２．４ｍから５．４ｍ×５．４ｍの範囲のいずれかの値）を床面積として定め、利用者がいる床面から天井までの天井高さ（例えば、２．０から４．０ｍの範囲のいずれかの値）で構成される空間をサービス提供のための基本環境として定めることで、その基本環境を作るために必要な組立方法と使用する部品の寸法・構造等を規格として定めておき、定められた規格に基づき部品を製作して、その部品を利用する規格工法で基本環境を作りながら複数の基本環境を組合せて行き、目的とするサービス環境を作り上げて利用するものである。
例えば、４人部屋であれば３つの基本環境で構成して、２つの基本環境を人が座る環境として使用して、残りの１つを壁環境および通路として使用することを基本的なサービス環境とするものであるが、様々な組合せがあり得ることは言うまでもない。
【０００５】
部品には、製作時に共通規格が適用されており、互換性のある状態で提供されるため、同一規格のものを使用すれば容易に組立および取外しを行うことができるとともに、外した部品・余った部品は再利用することができるものである。
また、本発明においては、図３に示すように階段１０を取りつけて２階建に組み上げたりすることが出来る。この例は、４人部屋キューブ型ユニットを縦に２個連結したものであり、高い空間を利用できる場合に有効である。このとき、階段１０の最上部分を床面より下げておき、入室前の天井の高さを確保すると共に階段の段数を節約できる。また、複数の２階建ての場合、階段を共有することにより、床利用率をさらに上げることが出来る。
図４に示すようにキューブ型ユニットを平面的に複数個組み合わせることが出来る。ユニットとユニットの間を壁で結ぶことも出来るし、扉で結ぶことも出来る。
例として前記した４人部屋を２つ隣接させた場合は、中間の内壁を取り外し可能として、容易に２つの部屋を統合して１０人部屋に変更することができるとともに、取外した部品を再利用して元に戻すことも容易にできる。
尚、壁間隔・肩方向幅・天井高さは、例示した範囲以外でも任意の値を定めることができ、任意の基本環境を定めることができるが、部品の再利用を実現して資源の有効活用を行うためには、基本環境はあまり多くないほうが良いため、キューブ型ユニットとして求められる環境の詳細を適時に調査して定めるものである。
さらに、図５は、厨房１１、トイレ１２、４人部屋を７つ組合せたユニットブロック１５、出入口１４に、サービスカウンター１３を配置したものである。
ユニットブロック１５は、３箇所の取り外し可能な内壁１６を取り外し、大部屋になる様にしたものである。
【０００６】
サービス環境を作る部品を必要の都度、サービス環境を組立てている現場で製作したのでは、効率的な部品生産はできず、組立作業の効率が下がってしまうとともに、製作された部品の精度も曖昧なため部品の再利用性も低くなってしまう。基本となる部品の構造・寸法が同じものであれば、部品に塗装をする、壁紙を貼る等の作業は工場で実施しておいて、完成品を出荷することも可能である。
キューブ型ユニットにあった部品を一度工場に回収して、部品強度等を調査して再利用できる部品であれば再度塗装をする、壁紙を貼る等の作業を行い同一規格の部品として再提供することも可能である。
そのため、サービス環境の改修が求められた場合に、サービス環境を改修する前に手元にある部品に対して改修条件に合わせて塗装をする・壁紙を貼る・オプション加工をする等の作業を行っておき、完成された部品を持込んで一気にサービス環境の改修を行うことで、サービス環境の改修期間を非常に短くするとともに、改修作業後の余剰部品の回収を行い再利用することで、改修作業に発生する経費を削減するサービスの実行も可能になった。
【０００７】
標準構成部品は単体でも提供することができるが、単体での需要は少ないため、機能を構成するための部品を組合せたセットとして提供することで、部品調達時の煩雑さをなくすことができた。
セットの例と、そのセットを構成した部品の例を下記に示す。
【０００８】
▲１▼　平床セットおよび堀床セット
＊床下ベース
部屋幅および肩方向の幅になる様に連結して、床下の強度を維持して床の基礎となる材料。
＊床ベース連結用ネジ
床ベースを、部屋幅および肩方向の幅で連結して、１枚にまとめるとともに、もう１枚の床下ベースを連結するためのネジセット
＊床下柱
堀床セットに標準構成されるものであり、床下ベースに固定して建物の床に固定設置することにより、堀床周辺床の強度を維持するための柱材。
＊床ベース固定材料
床下ベースを、建物の床に固定するためのアンカーネジ・水平調整用の板等の材料。床下に柱を設置する場合は、同じネジ位置で柱を建物の床に固定する。
＊床材
部屋幅および肩方向の幅で、床ベースに乗せて固定して、床面になる材料。
オプションとして、ガス・電気用のコンセント取付け加工の指定ができる。
＊床材固定材料
床ベースに床材を固定するネジと、そのネジを隠蔽するための材料を組合せたもの。
例えば、平床の中心部の床部分を外して、堀床変更セットを使用して堀床にする事もできる。
【０００９】
▲２▼　外壁セット
＊角柱または平柱
床ベースに柱を固定して立て、柱に壁材を挟んで壁を固定する。
角柱は部屋の角に使用し、平柱は壁と壁を接続する部分に使用する。
付属は１本のみとして、反対側は隣を構成する壁セットを使用して、自由に壁を連結して構成する。
＊外壁
片面が外壁になっており、他の片面が内壁になっているもの。
基本となる壁強度は確保されており、窓・扉等を組込んだ部品と交換することもできる。
オプションとして、ガス・電気用のコンセント、照明制御用のスイッチ、空調機取付け加工、給排気設備取付け加工等の指定ができる。
＊外壁上部補強材
外壁の上部を補強するための材料。
＊固定ネジセット
外壁を取付けるために必要なネジと、ネジを隠蔽する材料を組合せたもの。
【００１０】
▲３▼　内壁セット
＊内壁
両面が内壁になっているもの。
基本となる壁強度は確保されており、構成された床面の上に専用固定材を用いて固定され、内壁取付け柱を用いて外壁と固定・結合される。
＊内壁取付け柱
内壁を外壁に固定するための柱。
＊内壁接続柱
内壁どうしを接続して強度を確保するための柱。
＊内壁下部固定材
内壁の下部を床に固定するための材料。
＊内壁上部補強材
内壁接続柱に挟まれた内壁の上部を補強するための材料。
＊固定ネジセット
内壁を取付けるために必要なネジと、ネジを隠蔽する材料を組合せたもの。
【００１１】
▲４▼　天井セット
＊天井材
壁上部補強材に固定され、部屋の天井を構成するための材料。
部屋幅および肩方向の幅で標準構成する。
標準機材であれば、照明器具の固定をすることができる。
オプションとして、空調機取付け、給排気口取付け加工ができる。
尚、空調機取付けを行う場合は、別途、補強材を追加して設置する。
＊天井補強材
天井を補強するとともに、天井材を連結するための部材。
＊固定ネジセット
天井を取付けるために必要なネジと、ネジを隠蔽する材料を組合せたもの。
前述した以外にも、引き戸を組込んだ外壁セット、扉を組込んだ外壁セット、窓を組込んだ外壁セット、開放を可能にする外壁セット、既存の壁に床ベース・天井補強材を使える様にする壁セット、廊下セット、玄関セット、納戸セット、厨房内装セット、便所セット、庭用備品等も用意してシリーズ化を図った。
【００１２】
壁紙貼り・塗装等の作業は様々な要求があるため、製品を出荷する前に工場で対応して、完成部品を工事現場に持込むことを基準作業としたが、それ以外にも様々な要求があり、規格品として作成しておいた部品だけでキューブ型ユニットを作成できない場合もあった。
その様な都合で新たな部品が求められた際には、規格部品をベースにして要求に従う様に部品の改修を行う、規格部品と既製品を組合せて要求に従う様に部品の改修を行う等の作業を行い、新たな要求に応えなければならないが、規格部品が工事の効率を上げるものであることには変わりがない。
【００１３】
キューブ型ユニットの解体および改修作業を行い、その作業により発生した余剰部品の回収が求められた場合には、その作業を実施した業者は、有償・無償に関わりなく余剰部品を回収することになるが、部品は長期的に利用されるため、様々な理由により部品に異常が発生する場合がある。
通常の利用条件であれば、殆どの部品は再利用することができるが、繰返して応力が掛る等で破損した部品、使用条件が悪く腐った部品、虫に食われた部品等は再利用することができない。
同様に、部品保管を求められた場合または貸与品の返却を受けた場合も、異常部品は部品入手とともに分別を行い、所有者の了承を得て不足部品の補充を行い、いつでも再利用できる様にして、正常部品だけを保管する。
【００１４】
既存の内装工事では使用した部品を再利用することは殆どなかったが、本発明の場合は、ほとんどの部品の再利用が可能になったため、キューブ型ユニットを用いて内装工事が迅速に行えるばかりか、キューブ型ユニットの部品のほとんどを再利用することができる新たな産業効果が得られた。
再利用できる部品は付加価値があるため、部品を集めて再販売することや、　再利用するまで保管するサービスが行なえる様になった。保管期間中に部品の修復を行い、再利用時には、新品と変わらない部品を引き渡すサービスを行うことも可能である。
部品の利用期間が長く、万一の回収・再提供もできるため、部品を貸与する期間と費用を定めておき、リースを行うサービスが行える。
【００１５】
キューブ型ユニット管理者および部品組立業者が、本発明に関わり次の様なことを行う行為は、本発明の効果を利用・応用することにより得られるものである。
＊本発明により定められた規格と類似発想の規格を定めて応用する。
＊規格適合品を生産する。
＊部品取付け部分の寸法を類似にした準規格品を生産する。
＊部品を加工して、新しい部品を作る。
＊キューブ型ユニットの設置を短期間で行う。
＊キューブ型ユニットの改修を短期間で行う。
＊キューブ型ユニットの原状回復を短期間で行う。
＊キューブ型ユニットに必要な部品を事前に生産し、貯蔵しておく。
＊キューブ型ユニットの設置・改修および撤去を少人数で行う。
＊キューブ型ユニットの設置・改修および撤去を熟練工が参加せずに行う。
＊キューブ型ユニットの設置・維持・撤去に関わる費用の発生を削減する。
＊破損した部品を交換して、破損箇所の修理を行う。
＊キューブ型ユニットを別の場所に移設する。
＊いらなくなった部品を利用して、原状以外の目的に使用する。
＊いらなくなった部品を第三者に提供・販売・貸与して収益を図る。
【００１６】
【発明の効果】
本発明の内装工事においては、すべて規格部品により作られたキューブ型ユニットを用いることにより、内装工事の生産性は高くなり部品コストの削減ができるばかりか、部材調達経費の削減・工事内容の規格化・工事経費の削減等が図られ、新規工事および内装変更が必要となった場合でも、短期間で工事を行うことができる様になった。また、営業空間に応じて、キューブ型ユニットの種類や組み合わせができ、営業空間の利用率を高めることができる。
さらに、キューブ型ユニットに用いた規格部品のサイズや採用規格をコンピュータに登録して管理することも可能となり、これに伴いキューブ型ユニットの貸し出しや補修・改築の際に必要な部品の調達・管理を一元化し容易に行うことができるようになった。
さらには、従来の方法では営業空間を構築するための作業に必要であったノコ・カンナ・ノミ等の経験を必要とする作業はなく、重機を用いる様な危険な作業もないため、作業に対する熟練度は要求されないものであり、例えば、部品を所定位置に置いてネジを締めることの繰返しで目的物の完成も可能なため、作業の大半はアルバイト等の賃金の安い労働力を利用すればよく、止むを得ない時にだけ熟練工を派遣すればよくなった。
更に、キューブ型ユニットの解体が求められた場合でも解体を迅速に行うことができ、これらの工事で余剰部品が発生しても、その部品は規格化されたものとして再利用することができるため、部材は新たなキューブ型ユニットで有効活用することができ、廃材の発生を最小限に抑えることができる様になった。
本発明による工事の安易性・迅速性に着目して、建造物に付加価値を付けて販売・貸借等を行う産業効果も新たに得られる様になった。
本発明は、様々な応用部品の開発と産業価値を可能としており、今後の有効利用が広範囲に期待され、ビジネス界に有効な効果を与えるものである。
【図面の簡単な説明】
【図１】本発明キュービック型ユニットの外観の見取図。
【図２】本発明キュービック型ユニットの内部の見取図。
【図３】本発明の２階建てキュービック型ユニットの見取図。
【図４】本発明のキュービック型ユニットの組み合わせ見取図。
【図５】屋内の配置図。
【符号の説明】
１　天井
２　床、
３　柱
４　壁
５　窓
６　扉
７　脚
８　電気接続機器
９　ガス接続機器
１０　階段
１１　厨房
１２　トイレ
１３　サービスカウンタ
１４　出入り口
１５　ユニットブロック
１６　取り外し可能な内壁
【図１】
2004068501.tif 000003
【図２】
2004068501.tif 000004
【図３】
2004068501.tif 000005
【図４】
2004068501.tif 000006
【図５】
2004068501.tif 000007